【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
可聴音や非可聴音（以下、可聴音と非可聴音のいずれかあるいは双方を、単に、音という）の拡散される状態や吸収される状態や反射される状態を変えて間接音や残響音をコントロールすることができる音響調整部材において、前記音響調整部材が、その少なくとも一つの面に、前記音響調整部材を壁などに複数回着脱可能に装着することができる接着剤あるいは粘着剤（以下、壁などに複数回着脱可能に装着することができる接着剤あるいは粘着剤を再剥離可能な接着剤という）を有することを特徴とする音響調整部材。
【請求項２】
請求項１に記載の音響調整部材において、前記再剥離可能な接着剤が水性エマルジョンタイプの接着剤であることを特徴とする音響調整部材。
【請求項３】
請求項１または２に記載の音響調整部材において、一方の面に比較的接着力の強い接着剤（以下、比較的接着力の強い接着剤を通常接着剤という）が配置されており他方の面に再剥離可能な接着剤が配置されている粘着テープ（以下、再剥離可能両面接着テープという）が、前記通常接着剤を配置した面を前記音響調整部材の少なくとも一つの面に接着することによって取り付けられていることを特徴とする音響調整部材。
【請求項４】
請求項１〜３のいずれか１項に記載の音響調整部材において、前記音響調整部材の構成要素の主要部分が、音の拡散や吸収や反射される状態を変えて間接音や残響音をコントロールすることができる主要部分であるとともに、多孔質の合成樹脂で構成されていることを特徴とする音響調整部材。
【請求項５】
室内の壁や天井や壁同士あるいは壁と天井の境界部（以下、壁同士あるいは壁と天井の境界部を部屋のコーナー部という）の少なくとも一部に、可聴音や非可聴音（以下、可聴音と非可聴音のいずれかあるいは双方を、単に、音という）の拡散される状態や吸収される状態や反射される状態を変えて間接音や残響音をコントロールすることができる音響調整部材を取り付けて室内の音響を変える音響調整部材の取付施工方法において、前記音響調整部材を、その少なくとも一つの面と壁や天井やコーナー部などの前記音響調整部材を取り付ける場所（以下、取付部という）との間に、前記音響調整部材を壁などに複数回着脱可能に装着することができる接着剤あるいは粘着剤（以下、壁などに複数回着脱可能に装着することができる接着剤あるいは粘着剤を再剥離可能な接着剤という）を配置して、前記音響調整部材を当該取付部に取付ることを特徴とする音響調整部材の取付施工方法。
【請求項６】
請求項５に記載の音響調整部材の取付施工方法において、前記音響調整部材を取付部に取付る接着剤として、その少なくとも一つの面に、一方の面に比較的接着力の強い接着剤が配置されており他方の面に再剥離可能な接着剤が配置されている粘着テープを用いることを特徴とする音響調整部材の取付施工方法。
【請求項７】
室内の壁や天井や壁同士あるいは壁と天井の境界部（以下、壁同士あるいは壁と天井の境界部を部屋のコーナー部という）の少なくとも一部に、可聴音や非可聴音（以下、可聴音と非可聴音のいずれかあるいは双方を、単に、音という）の拡散される状態や吸収される状態や反射される状態を変えて間接音や残響音をコントロールすることができる音響調整部材を取り付けた部屋などの建造物において、前記音響調整部材が、前記音響調整部材とそれを取り付ける部屋の取付場所の表面との間に、前記音響調整部材を壁などに複数回着脱可能に装着することができる接着剤あるいは粘着剤（以下、壁などに複数回着脱可能に装着することができる接着剤あるいは粘着剤を再剥離可能な接着剤という）を配置して、壁や天井やコーナー部の少なくとも一部に取付けられていることを特徴とする音響調整部材を取付けた建造物。
【請求項８】
請求項７に記載の音響調整部材を取付けた建造物において、前記音響調整部材として、その少なくとも一つの面に、一方の面に比較的接着力の強い接着剤が配置されており他方の面に再剥離可能な接着剤が配置されている粘着テープを用いて壁や天井やコーナー部の少なくとも一部に取り付けられていることを特徴とする音響調整部材を取付けた建造物。
【手続補正２】
【補正対象書類名】明細書
【補正対象項目名】００４３
【補正方法】変更
【補正の内容】
【００４３】
課題を解決するためになされた本発明の例としての第１の発明（以下、発明１という）である音響調整部材は、音の拡散や吸収や反射される状態を変えて間接音や残響音をコントロールすることができる音響調整部材であり、その少なくとも一つの面に再剥離可能な接着剤を配置したことを特徴とする音響調整部材である。この特徴故に、本発明の音響調整部材は、室内の取付部に容易に着脱することができるため、一般住宅における通常の住空間としての居住部屋にも容易に装着することができ、本発明の発明者等の研究結果を生かして、従来では考えられなかった、音的にも居心地の良い部屋を、安価に実現可能にした。さらに、本発明は、諸事情により室内のレイアウトを変更したいときも、容易に、安価に実行することができるという大きな効果を有する。
【手続補正３】
【補正対象書類名】明細書
【補正対象項目名】００４４
【補正方法】変更
【補正の内容】
【００４４】
発明１を展開してなされた本発明の例としての第２の発明（以下、発明２という）の音響調整部材は、発明１に記載の音響調整部材において、前記再剥離可能な接着剤が水性エマルジョンタイプの接着剤であることを特徴とする音響調整部材である。
【手続補正４】
【補正対象書類名】明細書
【補正対象項目名】００４５
【補正方法】変更
【補正の内容】
【００４５】
発明１、発明２を展開してなされた本発明の例としての第３の発明（以下、発明３という）の音響調整部材は、発明１または２に記載の音響調整部材において、前記再剥離可能な接着剤がその構成成分中にアクリル系樹脂を主成分の一つとして含んでいることを特徴とする音響調整部材である。
【手続補正５】
【補正対象書類名】明細書
【補正対象項目名】００４６
【補正方法】変更
【補正の内容】
【００４６】
発明２，発明３に記載の本発明の音響調整部材は、総合的に、健康に良く、居心地が良い、コストの安い部屋を実現するのに大きく貢献する。
【手続補正６】
【補正対象書類名】明細書
【補正対象項目名】００４７
【補正方法】変更
【補正の内容】
【００４７】
発明１〜３のいずれかを展開してなされた本発明の例としての第４の発明（以下、発明４という）の音響調整部材は、発明１〜３のいずれかに記載の音響調整部材において、前記音響調整部材の少なくとも一つの面に配置された前記再剥離可能な接着剤が前記音響調整部材の当該面に塗布されていることを特徴とする音響調整部材である。
【手続補正７】
【補正対象書類名】明細書
【補正対象項目名】００４８
【補正方法】変更
【補正の内容】
【００４８】
発明４に記載の本発明の音響調整部材は、それを使用したい必要な大きさだけ切り取って使用するときに使いやすく、比較的弱い接着力の接着剤を使用することができ、下地が弱いところにも使用できる。
【手続補正８】
【補正対象書類名】明細書
【補正対象項目名】００４９
【補正方法】変更
【補正の内容】
【００４９】
発明１〜４のいずれかを展開してなされた本発明の例としての第５の発明（以下、発明５という）の音響調整部材は、発明１〜４のいずれかに記載の音響調整部材において、一方の面に比較的接着力の強い接着剤（以下、比較的接着力の強い接着剤を通常接着剤ともいう）が配置されており他方の面に再剥離可能な接着剤が配置されている粘着テープ（以下、再剥離可能両面接着テープともいう）が、前記通常接着剤を配置した面を前記音響調整部材の少なくとも一つの面に接着することによって取り付けられていることを特徴とする音響調整部材である。
【手続補正９】
【補正対象書類名】明細書
【補正対象項目名】００５０
【補正方法】変更
【補正の内容】
【００５０】
発明４、発明５を展開してなされた本発明の例としての第６の発明（以下、発明６という）の音響調整部材は、発明４または５に記載の音響調整部材において、前記音響調整部材の再剥離可能な接着剤が配置されている少なくとも一つの面に、前記再剥離可能な接着剤が配置されている部分と前記再剥離可能な接着剤が配置されていない部分とがあることを特徴とする音響調整部材である。
【手続補正１０】
【補正対象書類名】明細書
【補正対象項目名】００５１
【補正方法】変更
【補正の内容】
【００５１】
発明４〜６に記載の各音響調整部材は、それを用いる室内の事情に応じて、便利に使い分けることができる。  発明５、発明６に記載の本発明の音響調整部材は、部屋の工事をするときに工事がし易い利点がある。
【手続補正１１】
【補正対象書類名】明細書
【補正対象項目名】００５２
【補正方法】変更
【補正の内容】
【００５２】
発明１〜６のいずれかを展開してなされた本発明の例としての第７の発明（以下、発明７という）の音響調整部材は、発明１〜６のいずれかに記載の音響調整部材において、前記音響調整部材の構成要素の主要部分が、音の拡散や吸収や反射される状態を変えて間接音や残響音をコントロールすることができる主要部分であるとともに、多孔質の合成樹脂で構成されていることを特徴とする軽くて扱いやすい音響調整部材である。たとえば、ウレタンのような材料を使用することにより、軽くて安い音響調整部材として、利用可能場所の範囲も広くなる。
【手続補正１２】
【補正対象書類名】明細書
【補正対象項目名】００５３
【補正方法】変更
【補正の内容】
【００５３】
課題を解決するためになされた本発明の例としての第８の発明（以下、発明８という）である本発明の音響調整部材の取付施工方法は、室内の壁や天井やコーナー部の少なくとも一部に、音の拡散や吸収や反射される状態を変えて間接音や残響音をコントロールすることができる音響調整部材を取り付けて室内の音響を変える音響調整部材の取付施工方法において、前記音響調整部材を、その少なくとも一つの面と壁や天井やコーナー部などの前記音響調整部材を取り付ける場所（以下、取付部ともいう）との間に再剥離可能な接着剤を配置して、前記音響調整部材を当該取付部に取付ることを特徴とする音響調整部材の取付施工方法である。
【手続補正１３】
【補正対象書類名】明細書
【補正対象項目名】００５４
【補正方法】変更
【補正の内容】
【００５４】
発明８を展開してなされた本発明の例としての第９の発明（以下、発明９という）による本発明の音響調整部材の取付施工方法は、発明８に記載の音響調整部材の取付施工方法において、前記再剥離可能な接着剤が水性エマルジョンタイプの接着剤であることを特徴とする音響調整部材の取付施工方法である。
【手続補正１４】
【補正対象書類名】明細書
【補正対象項目名】００５５
【補正方法】変更
【補正の内容】
【００５５】
発明８または９を展開してなされた本発明の例としての第１０の発明（以下、発明１０という）による本発明の音響調整部材の取付施工方法は、発明８または９に記載の音響調整部材の取付施工方法において、前記再剥離可能な接着剤が、その構成成分中にアクリル系樹脂を主成分の一つとして含んでいる接着剤であることを特徴とする音響調整部材の取付施工方法である。
【手続補正１５】
【補正対象書類名】明細書
【補正対象項目名】００５６
【補正方法】変更
【補正の内容】
【００５６】
発明８〜１０のいずれかを展開してなされた本発明の例としての第１１の発明（以下、発明１１という）による本発明の音響調整部材の取付施工方法は、発明８〜１０のいずれかに記載の音響調整部材の取付施工方法において、前記音響調整部材の少なくとも一つの面に配置された前記再剥離可能な接着剤が、前記音響調整部材の当該面に塗布されている接着剤であることを特徴とする音響調整部材の取付施工方法である。
【手続補正１６】
【補正対象書類名】明細書
【補正対象項目名】００５７
【補正方法】変更
【補正の内容】
【００５７】
発明８〜１１のいずれかを展開してなされた本発明の例としての第１２の発明（以下、発明１２という）による本発明の音響調整部材の取付施工方法は、発明８〜１１のいずれかに記載の音響調整部材の取付施工方法において、前記音響調整部材を取付部に取付る接着剤に再剥離可能両面接着テープを用いることを特徴とする音響調整部材の取付施工方法である。
【手続補正１７】
【補正対象書類名】明細書
【補正対象項目名】００５８
【補正方法】変更
【補正の内容】
【００５８】
発明１１、発明１２を展開してなされた本発明の例としての第１３の発明（以下、発明１３という）による本発明の音響調整部材の取付施工方法は、発明１１または１２に記載の音響調整部材の取付施工方法において、前記音響調整部材の再剥離可能な接着剤が配置されている少なくとも一つの面には、前記再剥離可能な接着剤が配置されている部分と前記再剥離可能な接着剤が配置されていない部分とがあることを特徴とする音響調整部材の取付施工方法である。
【手続補正１８】
【補正対象書類名】明細書
【補正対象項目名】００５９
【補正方法】変更
【補正の内容】
【００５９】
発明８〜１３のいずれかを展開してなされた本発明の例としての第１４の発明（以下、発明１４という）による本発明の音響調整部材の取付施工方法は、発明８〜１３のいずれかに記載の音響調整部材の取付施工方法において、前記施工に用いる前記音響調整部材の構成要素の主要部分が、音の拡散や吸収や反射される状態を変えて間接音や残響音をコントロールすることができる主要部分であるとともに、多孔質の合成樹脂で構成されていることを特徴とする音響調整部材の取付施工方法である。
【手続補正１９】
【補正対象書類名】明細書
【補正対象項目名】００６０
【補正方法】変更
【補正の内容】
【００６０】
課題を解決するためになされた本発明の例としての第１５の発明（以下、発明１５という）である本発明の音響調整部材を取付けた建造物は、室内の壁や天井やコーナー部の少なくとも一部に、音の拡散や吸収や反射される状態を変えて間接音や残響音をコントロールすることができる音響調整部材を取り付けた部屋などの建造物において、前記音響調整部材が、前記音響調整部材とそれを取り付ける部屋の取付場所の表面との間に再剥離可能な接着剤を配置して、壁や天井やコーナー部の少なくとも一部に取付けられていることを特徴とする音響調整部材を取付けた建造物である。
【手続補正２０】
【補正対象書類名】明細書
【補正対象項目名】００６１
【補正方法】変更
【補正の内容】
【００６１】
発明１５を展開してなされた本発明の例としての第１６の発明（以下、発明１６という）による本発明の音響調整部材を取付けた建造物は、発明１５に記載の音響調整部材を取付けた建造物において、前記再剥離可能な接着剤に水性エマルジョンタイプの接着剤を用いていることを特徴とする音響調整部材を取付けた建造物である。
【手続補正２１】
【補正対象書類名】明細書
【補正対象項目名】００６２
【補正方法】変更
【補正の内容】
【００６２】
発明１５、発明１６を展開してなされた本発明の例としての第１７の発明（以下、発明１７という）による本発明の音響調整部材を取付けた建造物は、発明１５または１６に記載の音響調整部材を取付けた建造物において、前記再剥離可能な接着剤にその構成成分中にアクリル系樹脂を主成分の一つとして含んでいる接着剤を用いていることを特徴とする音響調整部材を取付けた建造物である。
【手続補正２２】
【補正対象書類名】明細書
【補正対象項目名】００６３
【補正方法】変更
【補正の内容】
【００６３】
発明１５〜１７のいずれかを展開してなされた本発明の例としての第１８の発明（以下、発明１８という）による本発明の音響調整部材を取付けた建造物は、発明１５〜１７のいずれかに記載の音響調整部材を取付けた建造物において、前記音響調整部材の少なくとも一つの面に配置された前記再剥離可能な接着剤が、前記音響調整部材の当該面に塗布されている接着剤であることを特徴とする音響調整部材を取付けた建造物である。
【手続補正２３】
【補正対象書類名】明細書
【補正対象項目名】００６４
【補正方法】変更
【補正の内容】
【００６４】
発明１５〜１８のいずれかを展開してなされた本発明の例としての第１９の発明（以下、発明１９という）による本発明の音響調整部材を取付けた建造物は、発明１５〜１８のいずれかに記載の音響調整部材を取付けた建造物において、前記音響調整部材が、その少なくとも一つの面に、再剥離可能両面接着テープを用いて壁や天井やコーナー部の少なくとも一部に取り付けられていることを特徴とする音響調整部材を取付けた建造物である。
【手続補正２４】
【補正対象書類名】明細書
【補正対象項目名】００６５
【補正方法】変更
【補正の内容】
【００６５】
発明１８、発明１９を展開してなされた本発明の例としての第２０の発明（以下、発明２０という）による本発明の音響調整部材を取付けた建造物は、発明１８または１９に記載の音響調整部材を取付けた建造物において、前記音響調整部材の再剥離可能な接着剤が配置されている少なくとも一つの面には、前記再剥離可能な接着剤が配置されている部分と前記再剥離可能な接着剤が配置されていない部分とがあることを特徴とする音響調整部材を取付けた建造物である。
【手続補正２５】
【補正対象書類名】明細書
【補正対象項目名】００６６
【補正方法】変更
【補正の内容】
【００６６】
発明１５〜２０のいずれかを展開してなされた本発明の例としての第２１の発明（以下、発明２１という）による本発明の音響調整部材を取付けた建造物は、発明１５〜２０のいずれかに記載の音響調整部材を取付けた建造物において、前記音響調整部材の構成要素の主要部分が、音の拡散や吸収や反射される状態を変えて間接音や残響音をコントロールすることができる主要部分であるとともに、多孔質の合成樹脂で構成されていることを特徴とする音響調整部材を取付けた建造物である。
【手続補正２６】
【補正対象書類名】明細書
【補正対象項目名】００６７
【補正方法】変更
【補正の内容】
【００６７】
発明８〜１４、発明１５〜２１に記載の各発明が、発明１〜７に記載の発明と同様な効果を奏することは、前記説明及び後述の説明により明らかである。